(57)【特許請求の範囲】
【請求項１】
撮像部の撮影範囲に含まれる被写体までの距離を求める演算部と、
前記被写体までの距離とフラッシュの発光量に基づいて、前記フラッシュの光が到達する前記被写体の領域を表す情報を表示させ、前記フラッシュの光が到達する前記被写体の領域の面積が閾値より狭い場合、絞り値とISO感度を含む撮影パラメータの設定変更に関する情報を表示させ、前記被写体までの距離、前記フラッシュの発光量、および変更後の前記撮影パラメータに基づいて、前記フラッシュの光が到達する前記被写体の領域を表す情報の表示を変更する表示制御部と
を備える制御装置。
【請求項２】
前記撮像部をさらに備える
請求項１に記載の制御装置。
【請求項３】
前記表示制御部は、前記フラッシュの光が到達する前記被写体の領域を表す情報を、到達する光量に応じて多段階で表示させる
請求項１または２に記載の制御装置。
【請求項４】
前記表示制御部は、前記フラッシュの光が到達する前記被写体の領域を表す情報を、前記撮像部により撮像された画像に重ねて表示させる
請求項１乃至３のいずれかに記載の制御装置。
【請求項５】
前記撮像部により撮像された画像の画像処理を、前記画像の各領域に写る前記被写体に到達する前記フラッシュの光量に応じて領域毎に行う画像処理部をさらに備える
請求項１乃至４のいずれかに記載の制御装置。
【請求項６】
前記撮像部は前記被写体からの光の位相差を検出する画素を有し、
前記演算部は、前記撮像部の前記画素が出力する信号に基づいて前記被写体までの距離を求める
請求項１乃至５のいずれかに記載の制御装置。
【請求項７】
前記制御装置に装着された外部の前記フラッシュ、または前記制御装置に内蔵された前記フラッシュから発光量を表す情報を取得する取得部をさらに備え、
前記表示制御部は、前記演算部により求められた前記被写体までの距離と、前記取得部により取得された情報により表される前記フラッシュの発光量に基づいて、前記フラッシュの光が到達する前記被写体の領域を表す情報を表示させる
請求項１乃至６のいずれかに記載の制御装置。
【請求項８】
撮像部の撮影範囲に含まれる被写体までの距離を求め、
前記被写体までの距離とフラッシュの発光量に基づいて、前記フラッシュの光が到達する前記被写体の領域を表す情報を表示させ、
前記フラッシュの光が到達する前記被写体の領域の面積が閾値より狭い場合、絞り値とISO感度を含む撮影パラメータの設定変更に関する情報を表示させ、
前記被写体までの距離、前記フラッシュの発光量、および変更後の前記撮影パラメータに基づいて、前記フラッシュの光が到達する前記被写体の領域を表す情報の表示を変更する
ステップを含む表示制御方法。
【請求項９】
撮像装置が備えるコンピュータに、
撮像部の撮影範囲に含まれる被写体までの距離を求め、
前記被写体までの距離とフラッシュの発光量に基づいて、前記フラッシュの光が到達する前記被写体の領域を表す情報を表示させ、
前記フラッシュの光が到達する前記被写体の領域の面積が閾値より狭い場合、絞り値とISO感度を含む撮影パラメータの設定変更に関する情報を表示させ、
前記被写体までの距離、前記フラッシュの発光量、および変更後の前記撮影パラメータに基づいて、前記フラッシュの光が到達する前記被写体の領域を表す情報の表示を変更する
ステップを含む処理を実行させるためのプログラム。
【発明の詳細な説明】
【技術分野】
【０００１】
本技術は、制御装置、表示制御方法、およびプログラムに関し、特に、フラッシュ光の到達領域を容易に表示させることができるようにした制御装置、表示制御方法、およびプログラムに関する。
【背景技術】
【０００２】
近年販売等されているデジタルカメラや携帯電話機などの撮影機能を有する装置の多くにフラッシュ（閃光）撮影のモードが用意されている。このような装置を用いてタ暮れ時や夜などの暗い環境でフラッシュ撮影を行った場合、フラッシュの光が届く比較的近距離にある被写体は適正な明るさもしくは明るめに写り、フラッシュの光が届かない遠くにある被写体は暗く写ってしまう。通常、撮影時の露出の調整は近距離にある被写体の明るさを基準として行われる。
【０００３】
近距離にある被写体に対して遠くにある背景などが、スルー画像上で見える明るさより暗く写ってしまうことから、スルー画像で見える雰囲気のまま背景を写し込む意図で撮影を行った場合に、背景が黒くつぶれた画像を撮影してしまうことが多い。
【０００４】
そこで、フラッシュ光の到達する範囲を撮影前にユーザに直感的に伝えるための技術が提案されている。例えば特許文献１には、フラッシュ撮影を行う場合に、フラッシュ光の到達可能な距離にある被写体の領域を表示する技術が開示されている。
【先行技術文献】
【特許文献】
【０００５】
【特許文献１】特開平１０−３３３２３５号公報
【特許文献２】特開平１０−９０７７８号公報
【発明の概要】
【発明が解決しようとする課題】
【０００６】
特許文献１に開示されている技術においては、本撮影前にフラッシュをプリ発光させる必要があり、プリ発光によって消費した電力を再度チャージする時間などもあって本撮影までに間が開いてしまう。
【０００７】
本技術はこのような状況に鑑みてなされたものであり、フラッシュ光の到達領域を容易に表示させることができるようにするものである。
【課題を解決するための手段】
【０００８】
本技術の一側面の制御装置は、撮像部の撮影範囲に含まれる被写体までの距離を求める演算部と、前記被写体までの距離とフラッシュの発光量に基づいて、前記フラッシュの光が到達する前記被写体の領域を表す情報を表示させ、前記フラッシュの光が到達する前記被写体の領域の面積が閾値より狭い場合、絞り値とISO感度を含む撮影パラメータの設定変更に関する情報を表示させ、前記被写体までの距離、前記フラッシュの発光量、および変更後の前記撮影パラメータに基づいて、前記フラッシュの光が到達する前記被写体の領域を表す情報の表示を変更する表示制御部とを備える。
前記撮像部をさらに設けるようにすることができる。
【０００９】
ここで、制御装置には、デジタルスチルカメラ、デジタルビデオカメラ、携帯電話機、タブレット端末、ゲーム機などの、撮像機能を有する装置が含まれる。また、被写体には、人物だけでなく、動物、建物、風景などの各種の物体が含まれる。
【００１０】
前記表示制御部には、前記フラッシュの光が到達する前記被写体の領域を表す情報を、到達する光量に応じて多段階で表示させることができる。
【００１１】
前記表示制御部には、前記フラッシュの光が到達する前記被写体の領域を表す情報を、前記撮像部により撮像された画像に重ねて表示させることができる。
【００１２】
被写体の領域は、１画素単位の領域であってもよいし、複数の画素からなる領域であってもよい。
【００１３】
前記撮像部により撮像された画像の画像処理を、前記画像の各領域に写る前記被写体に到達する前記フラッシュの光量に応じて領域毎に行う画像処理部をさらに設けることができる。
【００１４】
前記撮像部は前記被写体からの光の位相差を検出する画素を有し、前記演算部には、前記撮像部の前記画素が出力する信号に基づいて前記被写体までの距離を求めさせることができる。
【００１５】
前記制御装置に装着された外部の前記フラッシュ、または前記制御装置に内蔵された前記フラッシュから発光量を表す情報を取得する取得部をさらに設けることができる。この場合、前記表示制御部には、前記演算部により求められた前記被写体までの距離と、前記取得部により取得された情報により表される前記フラッシュの発光量に基づいて、前記フラッシュの光が到達する前記被写体の領域を表す情報を表示させることができる。
【００１６】
本技術の一側面においては、撮像部の撮影範囲に含まれる被写体までの距離が求められ、前記被写体までの距離とフラッシュの発光量に基づいて、前記フラッシュの光が到達する前記被写体の領域を表す情報が表示される。また、前記フラッシュの光が到達する前記被写体の領域の面積が閾値より狭い場合、絞り値とISO感度を含む撮影パラメータの設定変更に関する情報が表示される。前記被写体までの距離、前記フラッシュの発光量、および変更後の前記撮影パラメータに基づいて、前記フラッシュの光が到達する前記被写体の領域を表す情報の表示が変更される。
【発明の効果】
【００１７】
本技術によれば、フラッシュ光の到達領域を容易に表示させることができる。
【図面の簡単な説明】
【００１８】
【図１】本技術の一実施形態に係る撮影装置の正面側の外観の例を示す図である。
【図２】撮影装置の背面側の外観の例を示す図である。
【図３】撮影装置の内部構成の例を示す図である。
【図４】撮像素子の構成例を示す図である。
【図５】撮影装置の機能構成例を示すブロック図である。
【図６】撮影装置の処理について説明するフローチャートである。
【図７】被写体までの距離の求め方の原理について示す図である。
【図８】図６のステップＳ２において行われるフラッシュ情報取得処理について説明するフローチャートである。
【図９】図６のステップＳ３において行われる撮影モード選択処理について説明するフローチャートである。
【図１０】図６のステップＳ８において行われるフラッシュ到達領域表示処理について説明するフローチャートである。
【図１１】フラッシュ光の到達距離の概念図である。
【図１２】LCDの表示の例を示す図である。
【図１３】一眼レフタイプの撮影装置の正面側の外観の例を示す図である。
【図１４】一眼レフタイプの撮影装置の背面側の外観の例を示す図である。
【図１５】撮影装置の縦断面図である。
【図１６】撮影装置の電気的構成の例を示す図である。
【図１７】撮影装置の他の縦断面図である。
【図１８】図１７の撮影装置の電気的構成の例を示す図である。
【図１９】コンピュータの構成例を示す図である。
【発明を実施するための形態】
【００１９】
＜第１の実施の形態＞
[撮影装置の外観構成]
図１は、本技術の一実施形態に係る撮影装置の正面側の外観の例を示す図である。
【００２０】
図１の撮影装置１はコンパクトタイプのデジタルスチルカメラである。カメラボディ１１の正面１１Ａの中央右寄りの位置にはレンズ２１が設けられ、レンズ２１の左上には内蔵フラッシュであるフラッシュ２２が設けられる。
【００２１】
レンズ２１は、光軸に沿って直列的に配置された複数のレンズからなるレンズ群を有する。レンズ２１を構成するレンズ群には、焦点の調節を行うためのフォーカスレンズと変倍を行うためのズームレンズとが含まれており、それぞれ光軸方向に駆動されることによって、変倍や焦点の調節が行われる。レンズ２１は、被写体からの光（光像）を取り込み、カメラボディ１１の内部に配置された撮像素子に導く。
【００２２】
カメラボディ１１の上面にはシャッタボタン２３が設けられる。シャッタボタン２３は、途中まで押し込んだ「半押し状態」の操作と、さらに押し込んだ「全押し状態」の操作とが可能なスイッチである。静止画撮影モードにおいてシャッタボタン２３が半押しされたとき、静止画を撮影するための準備動作が実行され、その状態で全押しされたとき、撮影動作が実行される。準備動作には、シャッタースピード、絞り値、ISO感度などの露出制御値である撮影パラメータの設定や焦点検出等の動作が含まれる。また、撮影動作には、撮像素子を露光して得られた画像信号に対して所定の画像処理を施し、画像データをメモリカード等の記憶媒体に記録する一連の動作が含まれる。
【００２３】
カメラボディ１１の上面にはプッシュスイッチからなるメインスイッチ（不図示）も設けられ、押下する毎に撮影装置１の電源のオン／オフが切り替えられる。
【００２４】
図２は、撮影装置１の背面側の外観の例を示す図である。
【００２５】
撮影装置１の背面１１Ｂには、タッチパネルが重ねられたLCD(Liquid Crystal Display)２４が設けられる。LCD２４には、取り込んだ被写界（撮影範囲）の画像であるスルー画像や記録済みの画像の他に、各種のボタンが並ぶ設定画面が表示される。LCD２４に表示される設定画面は、例えば撮影装置１に搭載される機能やモードの設定に用いられる。LCD２４に代えて、有機ELディスプレイなどの他のディスプレイが設けられるようにしてもよい。
【００２６】
このような外観構成を有する撮影装置１においては、フラッシュ２２を発光させて静止画の撮影を行う場合、撮影前に、フラッシュ光が到達する被写体（物体）が写っている領域であるフラッシュ到達領域を表す情報が例えばスルー画像に重ねて表示される。どの領域がフラッシュ到達領域であるのかの判断は、被写界に含まれる各被写体までの距離と、フラッシュ２２の発光量等に基づいて行われる。
【００２７】
すなわち、撮影装置１においては、フラッシュ到達領域の判断が、プリ発光なしに行われることになる。これにより、プリ発光後にフラッシュ２２の再チャージなどを行う必要がないことから、プリ発光を行う場合に較べて、フラッシュ到達領域を表す情報を容易に表示させることが可能になる。フラッシュ到達領域を表す情報を表示させる一連の処理については後に詳述する。
【００２８】
［撮影装置の内部構成］
図３は、撮影装置１の内部構成の例を示す図である。図３に示す構成のうち、図１、図２に示す構成と同じ構成には同じ符号を付してある。
【００２９】
CPU３１は、EEPROM３４に記憶されているプログラムをRAM３３において実行し、操作部３２から供給される情報により表されるユーザの操作の内容に従って撮影装置１の全体の動作を制御する。CPU(Central Processing Unit)３１には、RAM(Random Access Memory)３３、EEPROM(Electrically Erasable and Programmable Read Only Memory)３４、USB(Universal Serial Bus) I/F３５がバスを介して接続される。バスには、撮像素子３６、前処理部３７、およびカメラDSP(Digital Signal Processor)部３８も接続される。
【００３０】
操作部３２は、シャッタボタン２３、LCD２４のタッチパネルなどの各種の入力部に対するユーザの操作を検出し、ユーザの操作の内容を表す情報をCPU３１に出力する。
【００３１】
USB I/F３５はUSBストレージクラス対応のインタフェースである。USB I/F３５は、USBケーブルを介して接続されるパーソナルコンピュータなどの外部の装置とデータの送受信を行う。
【００３２】
撮像素子３６はCMOS(Complementary Metal Oxide Semiconductor)センサなどの固体撮像素子である。撮像素子３６は図１、図２のＺ軸に対して垂直となる平面であるＸＹ平面上に配置される。撮像素子３６は、レンズ２１により取り込まれた光の光電変換を行い、画像信号を出力する。また、撮像素子３６は位相差センサとしても機能し、被写界に含まれる各被写体からの光の位相差を表す位相差信号を出力する。
【００３３】
図４は、撮像素子３６の構成例を示す図である。
【００３４】
撮像素子３６においては、射出瞳の異なった部分を透過した光を受光することにより、被写体からの光の位相差を検出することが可能とされる。図４に示すように、撮像素子３６は、基本的に、RGBの各画素と、画素対１１４ｆを構成する画素とから構成される。
【００３５】
Ｒ画素１１１、Ｇ画素１１２、およびＢ画素１１３は、それぞれ、集光レンズとして機能する波線円で示すマイクロレンズMLと、フォトダイオードとの間にＲ(赤)、Ｇ(緑)およびＢ(青)のカラーフィルタが配設された通常の画素である。以下、適宜、Ｒ画素１１１、Ｇ画素１１２、およびＢ画素１１３をまとめて通常画素１１０という。撮像素子３６においては、画素対１１４ｆを構成する画素より数が多い通常画素１１０によって画像情報が取得される。
【００３６】
撮像素子３６には、通常画素１１０の水平方向のラインである通常画素ラインＬｎとして、Ｇ画素１１２とＲ画素１１１が交互に配置されたラインＬ１と、Ｂ画素１１３とＧ画素１１２が交互に配置されたラインＬ２が形成される。ラインＬ１とラインＬ２が垂直方向に交互に配置されることによって、RGBの比率が１：２：１である通常画素１１０のベイヤー配列が実現される。
【００３７】
一方、画素対１１４ｆは、レンズ２１の射出瞳の左側部分からの光束と右側部分からの光束とを分離（瞳分割）させて受光するためにマイクロレンズMLの光軸を跨いで配置された画素である画素１１４ａと画素１１４ｂから構成される。画素１１４ａ、画素１１４ｂに設けられるフォトダイオードはそれぞれ通常画素１１０のフォトダイオードと同等のサイズを有しており、通常画素１１０と同じピッチで水平方向に隣接して配置される。撮像素子３６においては、画素対１１４ｆが水平方向に配列されることによって、画素対ラインＬｆが垂直方向に周期的に形成される。
【００３８】
このように、撮像素子３６には、瞳分割機能を有する画素対１１４ｆが撮像素子３６の全体に周期的に配置される。各位置の画素１１４ａにおいて得られる受光データの系列と、各位置の画素１１４ｂにおいて得られる受光データの系列に基づいて、被写界全体に含まれる各被写体からの光の位相差を検出することが可能になる。また、検出した位相差に基づいて、各被写体までの距離を求めることが可能になる。このような、通常画素と、被写体光を瞳分割して位相差を検出するための位相差画素（画素１１４ａ、１１４ｂ）からなり、素子上で位相差を検出する機能を有する撮像素子については例えば特開２０１０−１６９７０９号公報に開示されている。
【００３９】
被写界に含まれる各被写体からの光の位相差を撮像素子３６上で検出するのではなく、撮像素子３６と別に位相差検出センサを設け、その位相差検出センサにおいて、各被写体からの光の位相差を検出するようにしてもよい。
【００４０】
撮像素子３６の通常画素により得られた画像信号は前処理部３７に供給される。また、撮像素子３６の位相差画素により得られた位相差信号は、図示せぬ回路においてA/D変換などが施された後、位相差情報としてCPU３１に供給される。
【００４１】
前処理部３７は、CDS/AGC/ADC部５１、タイミングジェネレータ（TG）５２、およびＶドライバ５３から構成される。
【００４２】
CDS/AGC/ADC部５１は、CDS(Correlated Double Sampling)機能、AGC(Automatic Gain Control)機能、およびADC(Analog to Digital Converter)機能を有する。すなわち、CDS/AGC/ADC部５１は、撮像素子３６から供給された画像信号の相関二重サンプリングを行い、例えば原色系の色信号を生成する。また、CDS/AGC/ADC部５１は、色信号の信号レベルを自動利得制御により補正した後、A/D変換を行い、A/D変換によって得られた画像データをカメラDSP部３８に出力する。
【００４３】
TG５２は、撮像素子３６の駆動基準となる各種のタイミング信号を生成し、Ｖドライバ５３に出力する。
【００４４】
Ｖドライバ５３は、TG５２から供給されたタイミング信号に従って撮像素子３６を駆動させる。
【００４５】
カメラDSP部３８は、フラッシュ制御部６１、カメラ信号処理部６２、解像度変換部６３、画像コーデック６４、レンズ制御部６５、メモリ制御部６６、表示処理部６７、メディア制御部６８、およびBIU６９がバスを介して接続されることによって構成される。カメラDSP部３８は、CPU３１による制御に従って動作を切り換え、前処理部３７から供給された画像データの記録再生処理を行う。メモリ３９はカメラDSP部３８内の各部における作業用のメモリであり、メモリ３９に対するデータの書き込み、メモリ３９からのデータの読み出しがメモリ制御部６６により制御される。
【００４６】
フラッシュ制御部６１は、フラッシュ光ありで撮影を行うことが指示されている場合、撮像素子３６による撮影タイミングに合わせてフラッシュ２２を発光させる。フラッシュ２２の発光量もフラッシュ制御部６１により適宜調整される。
【００４７】
カメラ信号処理部６２は、前処理部３７から供給された画像データに対してホワイトバランス調整処理、γ補正処理等の各種の信号処理を施し、信号処理を施すことによって得られた画像データを解像度変換部６３に出力する。また、カメラ信号処理部６２は、信号処理を施すことによって得られた画像データをメモリ制御部６６に出力し、メモリ３９に記憶させる。カメラ信号処理部６２は、絞り値の補正、オートフォーカスの調整に必要な情報を画像データから検出し、検出した情報をレンズ制御部６５に出力することも行う。
【００４８】
解像度変換部６３は、カメラ信号処理部６２から供給された画像データに対して解像度変換を施し、解像度変換後の画像データを表示処理部６７に出力する。例えば撮像素子３６による撮影結果をスルー画像としてLCD２４に表示させる場合、解像度変換部６３は、LCD２４の解像度に合わせるようにして撮影結果の画像の解像度変換を行う。また、解像度変換部６３は、記憶媒体４０に記録する画像の解像度がユーザにより指示されている場合の解像度変換や、電子ズームや再生ズームが指示された場合に、撮影結果の一部の領域を切り出して解像度を変換する処理などを行う。
【００４９】
画像コーデック６４は、カメラ信号処理部６２から出力され、メモリ３９に記憶された画像データを圧縮して出力する。圧縮された画像データは例えばメディア制御部６８に供給され、記憶媒体４０に記憶される。また、画像コーデック６４は、記録済みの画像の再生が指示され、記憶媒体４０から読み出された圧縮済みの画像データがメディア制御部６８から供給された場合、記録済みの画像を伸張して出力する。伸張された画像データは例えば表示処理部６７に供給され、LCD２４に表示される。データの圧縮、伸張の方式には、静止画にあってはJPEG(Joint Photographic Coding Experts Group)等の方式が用いられる。また、動画にあっては、ISO/IEC JTC１/SC29WG11のMPEG(Motion Picture Experts Group)１、MPEG２、MPEG４、ITU-TのH.263，H.264/MPEG4-AVC(Advanced Video Coding)等の、動きベクトルを用いた方式が用いられる。
【００５０】
レンズ制御部６５は、カメラ信号処理部６２から供給された情報に従ってレンズ２１の絞りを制御する。また、レンズ制御部６５は、いわゆる山登り法によってレンズ２１のフォーカスを制御する。レンズ制御部６５は、CPU３１による制御に従って、レンズ２１のズームの調整なども行う。
【００５１】
表示処理部６７は、解像度変換部６３により解像度変換が行われたスルー画像や画像コーデック６４により伸張された記録済みの画像をLCD２４に表示させる。また、表示処理部６７は、CPU３１による制御に従って、各種の設定画面や、フラッシュ到達領域を表す情報をLCD２４に表示させる。
【００５２】
メディア制御部６８は、記憶媒体４０に対するデータの記録、記憶媒体４０からのデータの読み出しを制御する。記憶媒体４０は例えば半導体メモリを内部に有するメモリカードである。メモリカードに代えて、ハードディスク等の種々の記憶媒体を用いることも可能である。例えば、メディア制御部６８は、画像データの記録時、画像コーデック６４により圧縮された画像データを記憶媒体４０に記録させる。また、メディア制御部６８は、画像データの再生時、記憶媒体４０に記録された画像データを読み出し、画像コーデック６４に出力する。
【００５３】
BIU(Bus Interface Unit)６９はCPU３１とカメラDSP部３８の各部との間のインタフェースであり、カメラDSP部３８の各部の制御に関するCPU３１からのコマンドの入出力等を制御する。
【００５４】
このような内部構成を有する撮影装置１において、例えばCPU３１は、撮影が指示されたことを操作部３２からの信号に基づいて検出した場合、前処理部３７を制御し、撮像素子３６による動画の撮影結果の処理を順次行わせる。また、CPU３１は、カメラDSP部３８を制御し、前処理部３７による処理結果に対する信号処理をカメラ信号処理部６２に行わせ、メモリ制御部６６を介してメモリ３９に順次記憶させる。CPU３１は、メモリ３９に順次記憶させた撮影結果である画像データの解像度変換を解像度変換部６３に行わせ、解像度変換後の画像データに基づいて表示処理部６７に画像を表示させる。このように、CPU３１は、動画による撮影結果をメモリ３９に記録させながら、撮影結果のモニタ画像をLCD２４に表示させる。
【００５５】
また、この状態で静止画の撮影がユーザにより指示された場合、CPU３１は、カメラ信号処理部６２から出力された画像データのメモリ３９への記憶を中止させる。CPU３１は、静止画の撮影が指示されたときに撮像素子３６により取り込まれ、前処理部３７、カメラDSP部３８を介してメモリ３９に記憶された画像データを解像度変換部６３に供給し、ユーザにより指示された解像度の画像データに変換させる。また、CPU３１は、解像度変換によって得られた画像データを画像コーデック６４に圧縮させ、その後、記憶媒体４０に記憶させる。この一連の処理において、CPU３１は、サムネイル画像の作成を解像度変換部６３に指示し、インデックス用のサムネイル画像を作成する。CPU３１は、作成したサムネイル画像を撮影結果のインデックス用画像として記憶媒体４０に記憶させる。
【００５６】
一方、動画の撮影開始がユーザにより指示された場合、CPU３１は、カメラ信号処理部６２から出力された画像データのメモリ３９への記憶を中止させる。CPU３１は、カメラ信号処理部６２から出力された画像データの解像度変換を解像度変換部６３に開始させ、解像度変換によって得られた画像データの圧縮を画像コーデック６４に開始させる。また、CPU３１は、メディア制御部６８を制御し、画像コーデック６４により圧縮された画像データを記憶媒体４０に記憶させる。この一連の処理においても、CPU３１は、記録開始時の先頭の１フレームについてのサムネイル画像の作成を解像度変換部６３に指示し、インデックス用のサムネイル画像を作成する。CPU３１は、作成したサムネイル画像を撮影結果のインデックス用画像として記憶媒体４０に記憶させる。
【００５７】
［撮影装置の機能構成］
図５は、撮影装置１の機能構成例を示すブロック図である。図５に示す機能部のうちの少なくとも一部は、CPU３１により所定のプログラムが実行されることによって実現される。
【００５８】
撮影装置１においては、距離演算部１２１、フラッシュ情報取得部１２２、および表示制御部１２３が実現される。
【００５９】
距離演算部１２１は、撮像素子３６から供給された位相差情報に基づいて、被写界全体に含まれる各被写体までの距離を求める。距離演算部１２１は、演算によって求めた各被写体までの距離を表す情報を表示制御部１２３に出力する。
【００６０】
フラッシュ情報取得部１２２は、フラッシュ２２のガイドナンバー（最大発光量）を取得し、フラッシュ情報として表示制御部１２３に出力する。フラッシュ２２のガイドナンバーの情報は例えばEEPROM３４に記憶されている。また、撮影時に使用するフラッシュが外付けフラッシュ用の接続端子（不図示）に接続された外付けフラッシュである場合、フラッシュ情報取得部１２２は、フラッシュ制御部６１を介して外付けフラッシュからガイドナンバーを取得する。
【００６１】
表示制御部１２３は、フラッシュ情報取得部１２２から供給されたフラッシュ情報と、撮影パラメータとして設定されたISO感度、絞り値に基づいてフラッシュ光の到達距離を求める。ここでいうフラッシュ光の到達距離は、ISO感度、絞り値などの撮影パラメータに基づいて特定される、適正露出で撮影可能な光量のフラッシュ光が到達する距離を意味する。ISO感度、絞り値は、撮影モードに応じてCPU３１により設定されることもあるし、ユーザにより手動で設定されることもある。
【００６２】
表示制御部１２３は、フラッシュ光の到達距離と、距離演算部１２１により求められた被写体までの距離とを比較し、各被写体にフラッシュ光が到達するか否かを判断する。フラッシュ光の到達距離より近くにある被写体には、フラッシュ光が到達すると判断されることになる。表示制御部１２３は、表示処理部６７を制御し、スルー画像の各領域のうち、フラッシュ光が到達すると判断した被写体が写っている領域にフラッシュ到達領域であることを表す情報を表示させる。
【００６３】
［撮影装置の動作］
ここで、図６のフローチャートを参照し、フラッシュ到達領域を表示する撮影装置１の処理について説明する。この処理は、ユーザが撮影装置１の電源をオンとし、撮影装置１を起動させたときに開始される。
【００６４】
ステップＳ１において、CPU３１は、前処理部３７、カメラDSP部３８を制御し、撮像素子３６により取り込まれた画像をスルー画像としてLCD２４に表示させる。撮像素子３６においては、レンズ２１により取り込まれた光の光電変換が行われ、光電変換が行われることによって得られた画像信号に対して前処理部３７において各種の処理が施される。各種の処理が施されることによって得られた画像データはカメラ信号処理部６２を介して表示処理部６７に供給され、LCD２４にスルー画像が表示される。また、光電変換が行われることによって撮像素子３６により検出された位相差を表す位相差情報がCPU３１（距離演算部１２１）に供給される。
【００６５】
ステップＳ２において、フラッシュ情報取得部１２２はフラッシュ情報取得処理を行う。フラッシュ情報取得処理により、フラッシュ撮影に用いるフラッシュのガイドナンバーが取得される。フラッシュ情報取得処理については図８のフローチャートを参照して後述する。
【００６６】
ステップＳ３において、CPU３１は撮影モード選択処理を行う。撮影モード選択処理により、撮影パラメータの決定方法などが、ユーザにより選択された撮影モードに応じて設定される。撮影モード選択処理については図９のフローチャートを参照して後述する。
【００６７】
ステップＳ４において、CPU３１は、カメラ信号処理部６２に対してAF(Auto Focus)領域を指定する。カメラ信号処理部６２においては、CPU３１により指定されたAF領域の画像情報からフォーカスの調整に必要な情報が検出され、検出された情報に従ってレンズ制御部６５によりレンズ２１のフォーカスが調整される。AF領域は、例えば、撮影したい構図に合わせてユーザがAF領域を指定したとき、ユーザによる指定に従って設定される。撮影モードとしてオートモードが選択されている場合、AF領域がCPU３１により自動的に決定される。
【００６８】
ステップＳ５において、撮像素子３６は被写界の測光を行う。CPU３１は、選択された撮影モードと撮像素子３６による測光結果に基づいて、シャッタースピード、絞り値、ISO感度、フラッシュの発光の有無などの撮影パラメータを適宜決定し、決定した撮影パラメータで撮影を行わせる。
【００６９】
ステップＳ６において、CPU３１は、撮影時にフラッシュ２２を発光させて撮影を行うか否か、すなわちフラッシュ発光ありか否かを判定する。例えば、フラッシュ２２を発光させることがユーザにより指示されている場合、または、撮影モードとしてオートモードが設定されており、測光結果として得られた被写界の明るさが閾値より暗い場合、フラッシュ発光ありとして判定される。
【００７０】
フラッシュ発光ありとしてステップＳ６において判定された場合、ステップＳ７において、距離演算部１２１は、被写界に含まれる各被写体までの距離を演算により求める。距離演算部１２１は、演算により求めた距離の情報をRAM３３に記憶させる。距離演算部１２１による距離の演算は繰り返し行われ、RAM３３内の距離情報は随時更新される。表示制御部１２３は、RAM３３に記憶された距離情報を読み出し、距離演算部１２１により求められた被写体までの距離を取得する。
【００７１】
被写体までの距離の求め方の原理について図７を参照して説明する。図７に示すグラフＧｄのように、デフォーカス量と一対の像列における重心位置の差との関係は比例関係となっている。この関係について、デフォーカス量をＤＦ(μｍ)とし重心位置の差をＣ(μｍ)として数式で表現すると、次の式(１)のようになる。
ＤＦ＝ｋ×Ｃ  ・・・  （１）
【００７２】
ここで、式(１)の係数ｋは、図７のグラフＧｄに関する傾きＧｋ(破線で図示)を表しており、工場試験等によって事前に取得できるものである。
【００７３】
以上より、距離演算部１２１は、分割Ｇ画素から得られるＡ系列のデータとＢ系列のデータとに関する重心位置の差(位相差)を求めた後に、上式(１)を利用してデフォーカス量を算出する。なお、上記のデフォーカス量はレンズ２１の設計値より一意に定まるものである。
【００７４】
次に、式（１）で求められたデフォーカス量ＤＦを用いてレンズ２１から被写体までの距離ｘを求める計算式を説明する。デフォーカス量をｘ‘とし、レンズ２１の焦点距離をｆとすると、ニュートンの方程式として下式（２）が成り立つ。式（２）に値を代入することによって、被写体までの距離ｘを求めることができる。
ｘｘ‘ = ｆ２  ・・・  （２）
【００７５】
ステップＳ８において、表示制御部１２３はフラッシュ到達領域表示処理を行う。フラッシュ到達領域表示処理においては、フラッシュ到達領域の判定が行われ、スルー画像に重ねて、フラッシュ到達領域を表す情報が表示される。フラッシュ到達領域表示処理の詳細については図１０のフローチャートを参照して後述する。フラッシュ発光なしとしてステップＳ６において判定された場合、ステップＳ７，Ｓ８の処理はスキップされる。
【００７６】
ステップＳ９において、CPU３１は、シャッタボタン２３がユーザにより操作されることに応じて静止画の撮影を行う。フラッシュ発光ありである場合、CPU３１は、フラッシュ制御部６１を制御し、撮影タイミングに合わせてフラッシュ２２を発光させる。
【００７７】
ステップＳ１０において、CPU３１は、ステップＳ９での撮影結果を記憶媒体４０に記憶させ、一連の処理を終了させる。
【００７８】
次に、図８のフローチャートを参照して、図６のステップＳ２において行われるフラッシュ情報取得処理について説明する。
【００７９】
ステップＳ２１において、フラッシュ情報取得部１２２は、使用するフラッシュが外付けフラッシュであるか否かを判定する。この例の場合、撮影装置１のフラッシュは内蔵フラッシュであるフラッシュ２２であるため、外付けフラッシュではないとして判定される。
【００８０】
外付けフラッシュではないとステップＳ２１において判定した場合、ステップＳ２２において、フラッシュ情報取得部１２２は、EEPROM３４から読み出すことによってフラッシュ２２のガイドナンバーを取得する。
【００８１】
一方、使用するフラッシュが接続端子（不図示）に接続された外付けフラッシュであるとステップＳ２１において判定した場合、ステップＳ２３において、フラッシュ情報取得部１２２は外付けフラッシュのガイドナンバーを取得する。
【００８２】
内蔵フラッシュであるフラッシュ２２のガイドナンバーがステップＳ２２において取得された後、または、外付けフラッシュのガイドナンバーがステップＳ２３において取得された後、図６のステップＳ２に戻り、それ以降の処理が行われる。フラッシュ情報取得部１２２により取得されたガイドナンバーを含むフラッシュ情報は表示制御部１２３に供給される。
【００８３】
次に、図９のフローチャートを参照して、図６のステップＳ３において行われる撮影モード選択処理について説明する。
【００８４】
ここで、撮影装置１には複数の撮影モードが用意されているものとする。撮影モードには、オートモードの他に、シャッタースピード優先AEモード、絞り優先AEモードなどのプログラムモード、およびマニュアルモードが用意される。
【００８５】
オートモードは、測光結果を元に、シャッタースピード、絞り値、ISO感度、フラッシュの発光の有無、AF領域を撮影装置１が自動的に（ユーザの操作によらずに）選択するモードである。シャッタースピード優先AEモードは、ユーザが任意にシャッタースピードを選択し、これに応じて、絞り値、ISO感度を撮影装置１が自動的に設定するモードである。絞り優先AEモードは、ユーザが任意に絞り値を選択し、これに応じて、シャッタースピード、ISO感度を撮影装置１が自動的に設定するモードである。シャッタースピード優先AEモード、絞り優先AEモードを含むプログラムモードにおいては、フラッシュの発光の有無はユーザにより任意に選択される。マニュアルモードは、シャッタースピード、絞り値、ISO感度、フラッシュの発光の有無の全ての撮影パラメータをユーザが任意に選択するモードである。
【００８６】
ユーザは、LCD２４に設定画面を表示させ、これらの撮影モードの中から、適切な撮影モードを撮影条件に合わせて選択する。また、オートモード以外の撮影モードを選択した場合、ユーザは、設定画面を用いて、フラッシュ２２を発光させるか否かを選択する。
【００８７】
ステップＳ３１において、CPU３１は、ユーザにより選択された撮影モードがオートモードであるか否かを判定する。
【００８８】
撮影モードがオートモードであるとステップＳ３１において判定した場合、ステップＳ３２において、CPU３１は、シャッタースピード、絞り値、ISO感度、フラッシュ２２の発光の有無をそれぞれ自動的に決定することを設定する。このような設定を行っている場合、CPU３１は、シャッタースピード、絞り値、ISO感度、フラッシュの発光の有無の各撮影パラメータをステップＳ５の測光結果に基づいてそれぞれ決定することになる。上述したように、撮影モードとしてオートモードが設定されており、測光結果として得られた被写界の明るさが閾値より暗い場合、フラッシュ発光ありとして決定される。
【００８９】
ステップＳ３３において、CPU３１はAF領域を決定する。ここで決定されたAF領域がステップＳ４においてカメラ信号処理部６２に対して指定される。
【００９０】
一方、撮影モードがオートモードではないとステップＳ３１において判定した場合、ステップＳ３４において、CPU３１は、撮影モードがプログラムモードであるか否かを判定する。
【００９１】
撮影モードがプログラムモードであるとステップＳ３４において判定した場合、ステップＳ３５において、CPU３１は、シャッタースピード、絞り値、ISO感度のうちの所定の撮影パラメータをそれぞれ自動的に決定することを設定する。すなわち、シャッタースピード優先AEモードが選択されている場合、CPU３１は、シャッタースピードをユーザの操作に応じて設定し、絞り値、ISO感度をステップＳ５の測光結果に基づいて設定する。一方、絞り優先AEモードが選択されている場合、CPU３１は、絞り値をユーザの操作に応じて設定し、シャッタースピード、ISO感度をステップＳ５の測光結果に基づいて設定する。
【００９２】
ステップＳ３６において、CPU３１は、フラッシュ２２の発光の有無をユーザの操作に応じて設定する。
【００９３】
撮影モードがプログラムモードではなくマニュアルモードであるとステップＳ３４において判定した場合、ステップＳ３７において、CPU３１は、シャッタースピード、絞り値、ISO感度、フラッシュ２２の発光の有無をユーザの操作に応じて設定する。
【００９４】
ステップＳ３３においてAF領域を決定した後、ステップＳ３６においてフラッシュ２２の発光の有無を設定した後、またはステップＳ３７において各撮影パラメータを設定した後、図６のステップＳ３に戻り、それ以降の処理が行われる。
【００９５】
次に、図１０のフローチャートを参照して、図６のステップＳ８において行われるフラッシュ到達領域表示処理について説明する。
【００９６】
ステップＳ４１において、表示制御部１２３は、フラッシュ情報取得部１２２により取得されたガイドナンバーと、測光結果に基づいて決定された絞り値、ISO感度とに基づいてフラッシュ光の到達距離Ｌを計算する。フラッシュ光の到達距離Ｌは下式（３）により表される。
Ｌ＝（ガイドナンバー）÷（絞り値）×√（ISO感度÷１００）  ・・・  （３）
【００９７】
ステップＳ４２において、表示制御部１２３は、フラッシュ光の到達距離Ｌと、ステップＳ７において求められた各被写体までの距離ｘとを比較し、フラッシュ光が到達する被写体を特定する。
【００９８】
図１１は、フラッシュ光の到達距離Ｌの概念図である。図１１の横軸は距離を表し、縦軸はフラッシュ光の光量（撮像素子３６における受光量）を表す。各距離におけるフラッシュ光の光量を表す直線は、フラッシュ２２のガイドナンバー、絞り値、ISO感度により特定される。
【００９９】
例えば、フラッシュ２２のガイドナンバーが４０であり、絞り値がＦ４．０、ISO感度が１００である場合、表示制御部１２３は、式（３）から、フラッシュ光の到達距離を破線Ｌ１で示す１０ｍとして求める。この場合、表示制御部１２３は、１０ｍより近くにある被写体にはフラッシュ光が到達するものとして判断する。絞り値、ISO感度を固定にした場合、１０ｍより近くにある被写体は明るめに写り、１０ｍより遠くにある被写体は暗めに写ることになる。
【０１００】
破線Ｌ２で示す距離は、フラッシュ光の光量が１０ｍの位置における光量と較べて半分になる距離である。すなわち、破線Ｌ２で示す距離にある被写体を適正な露出で撮影しようとする場合、１０ｍの距離にある被写体を撮影する場合の光量の２倍の光量を取り込む必要がある。破線Ｌ２で示す距離は、絞り値Ｆ４．０の２倍の光量を取り込むことができる絞り値であるＦ２．８を用いることによって、１４．３ｍとして式（３）から計算することができる。なお、この例の場合、光量が０になる距離は１８．６ｍとして求められる。
【０１０１】
図１０の説明に戻り、ステップＳ４３において、表示制御部１２３は、スルー画像の各領域のうち、フラッシュ到達領域にそのことを表す情報を表示させる。フラッシュ到達領域を表す情報を表示させた後、図６のステップＳ８に戻り、それ以降の処理が行われる。
【０１０２】
図１２は、LCD２４の表示の例を示す図である。
【０１０３】
図１２の例においては、風景を背景として１人の人物がほぼ中央に写っている画像がスルー画像としてLCD２４に表示されている。表示制御部１２３は、被写界を取り込んだスルー画像全体のうち、フラッシュ到達領域を所定の色で点灯または点滅して表示させる。図１２の例においては、太線の枠で囲む白抜きの領域である領域Ａ１がフラッシュ到達領域であり、それぞれの領域Ａ１が所定の色で点灯または点滅して表示されることによってフラッシュ到達領域がユーザに提示される。
【０１０４】
これにより、ユーザは、どの被写体にフラッシュ光が到達するのかを撮影前に判断することができる。また、ユーザは、いまの設定のままでは写し込みたい被写体にフラッシュ光が到達しないと判断した場合、絞りを開いたり、ISO感度を上げたりして撮影パラメータの設定を変え、意図した通りの画像を撮影することが可能になる。撮影パラメータの設定が変更された場合、表示制御部１２３は、ユーザによる設定の変更に追従して、フラッシュ到達領域の表示を切り替える。
【０１０５】
撮影装置１側としても、どの被写体にフラッシュ光が到達するのかを表す情報を、プリ発光を行うことなく、容易に表示させることができる。
【０１０６】
適正露出で撮影が可能な被写体が写っている領域であるフラッシュ到達領域の外の各領域を、その領域に写っている被写体に到達する光量に応じて表示させることも可能である。
【０１０７】
図１２において斜線を付して示す領域Ａ２は、フラッシュ到達領域外の領域ではあるが、フラッシュ光が到達する被写体が写っている領域を表す。図１１を参照して説明した例の場合、１０ｍより遠く、光量が０となる１８．６ｍより近くにある被写体が写っている領域が、フラッシュ到達領域外の領域ではあるが、フラッシュ光が到達する被写体が写っている領域となる。
【０１０８】
この場合、表示制御部１２３は、被写体に到達する光量に応じて段階的に、例えばフラッシュ到達領域を表す領域Ａ１の色よりも薄い色で領域Ａ２を点灯または点滅して表示させたり、領域Ａ１の色と異なる色で領域Ａ２を点灯または点滅して表示させたりする。領域Ａ１の色よりも薄い色で表示させる場合、表示制御部１２３は、領域Ａ１の色の濃度を１００％とすると、到達する光の量が１／２になる距離にある被写体が写っている領域を５０％の濃度で表示させる。また、表示制御部１２３は、到達する光の量が１／４になる距離にある被写体が写っている領域を２５％の濃度で表示させる。
【０１０９】
これにより、ユーザは、被写界に含まれる各被写体に到達するフラッシュ光の光量を直感的に把握することが可能になる。
【０１１０】
［変形例］
フラッシュ到達領域であることを表す情報や到達する光の量を表す情報を表示するのではなく、撮影パラメータの設定変更に関するアドバイスが表示されるようにしてもよい。この場合、例えば表示制御部１２３は、フラッシュ到達領域の面積が被写界全体の面積に対して閾値より少ない場合、絞りを開きぎみにしたり、ISO感度を上げたりすることをユーザに案内するメッセージをLCD２４に表示させる。メッセージを確認して撮影パラメータを変更することにより、ユーザは全体的に暗めの画像を撮影してしまうことを防ぐことが可能になる。
【０１１１】
当然、フラッシュ到達領域であることを表す情報や到達する光の量を表す情報とともに、撮影パラメータの設定変更に関するアドバイスを表示することも可能である。
【０１１２】
また、フラッシュ到達領域外の領域の画像データをフラッシュ到達領域の画像データよりゲインを上げて処理したり、ノイズ除去を強めにして処理したりして、画像処理の内容を光量に応じて切り替えるようにしてもよい。この場合、CPU３１は、撮像素子３６により取り込まれた画像の各領域に写る被写体に到達するフラッシュ光の光量を判断し、ゲインコントロールやノイズ除去などの画像処理が光量に応じて行われるように前処理部３７やカメラDSP部３８を制御する。
【０１１３】
フラッシュ到達領域にそのことを表す情報が表示されるものとしたが、フラッシュ光が到達しない被写体が写っている領域にそのことを表す情報が表示されるようにしてもよい。
【０１１４】
＜第２の実施の形態＞
［撮影装置の外観構成］
以上においては、撮影装置１がコンパクトタイプのデジタルスチルカメラである場合について説明したが、上述した技術は一眼レフタイプのデジタルスチルカメラに適用することも可能である。
【０１１５】
図１３および図１４は、一眼レフタイプの撮影装置１の外観の例を示す図である。図１３および図１４は、それぞれ正面図および背面図を示している。また、図１５は撮影装置１の縦断面図である。
【０１１６】
撮影装置１は、カメラボディ２１１と、カメラボディ２１１に着脱自在な交換レンズとしてのレンズ２２１とを備えている。図１３において、カメラボディ２１１の正面側には、略中央にレンズ２２１が装着されるマウント部２２２が設けられる。また、マウント部２２２の右横にはレンズ交換ボタン２２３が設けられ、正面左端部（Ｘ方向左側）には、ユーザが片手（又は両手）により確実に把持可能とするためのグリップ部２２４が設けられている。
【０１１７】
レンズ２２１は、被写体からの光（光像）を取り込むレンズ窓として機能するとともに、当該被写体光をカメラボディ２１１の内部に配置されている撮像素子２５２に導くための撮影光学系として機能する。レンズ２２１は、レンズ交換ボタン２２３を押下操作することで、カメラボディ２１１から取り外すことが可能となっている。
【０１１８】
レンズ２２１は、光軸LT（図１５）に沿って直列的に配置された複数のレンズからなるレンズ群を備えている。このレンズ群には、焦点の調節を行うためのフォーカスレンズと、変倍を行うためのズームレンズとが含まれており、それぞれ光軸LT方向に駆動されることで、変倍や焦点調節が行われる。また、レンズ２２１には、その鏡胴の外周適所に該鏡胴の外周面に沿って回転可能な操作環が備えられている。上記のズームレンズは、マニュアル操作或いはオート操作により、上記操作環の回転方向および回転量に応じて光軸方向に移動し、その移動先の位置に応じたズーム倍率(撮影倍率)に設定される。
【０１１９】
また、カメラボディ２１１には、正面左上部（Ｙ方向左上側）に配置されたモード設定ダイアル２２６と、正面右上部に配置された制御値設定ダイアル２２９と、グリップ部２２４の上面に配置されたシャッタボタン２２５とが設けられている。なお、グリップ部２２４には、当該グリップ部２２４をユーザが把持したか否かを検出するためのグリップセンサを設けるようにしても良い。
【０１２０】
シャッタボタン２２５は、図１のシャッタボタン２３と同様に、途中まで押し込んだ「半押し状態」の操作と、さらに押し込んだ「全押し状態」の操作とが可能とされた押下スイッチである。
【０１２１】
モード設定ダイアル２２６および制御値設定ダイアル２２９は、カメラボディ２１１の上面と略平行な面内で回転可能な略円盤状の部材からなる。モード設定ダイアル２２６は、上述したオートモード、プログラムモードなどの撮影モードの選択に用いられる。一方、制御値設定ダイアル２２９は、撮影装置１に搭載された各種の機能に対する制御値を設定するためのものである。
【０１２２】
フラッシュ部２２７は、図１のフラッシュ２２に対応し、ポップアップ式の内蔵フラッシュとして構成されている。外付けフラッシュをカメラボディ２１１に取り付ける場合、接続端子部２２８が使用される。 
【０１２３】
カメラボディ２１１の背面側に設けられるLCD２４１（図１４）は、図２のLCD２４に対応する。LCD２４１は、画像表示が可能なカラー液晶パネルを備えており、撮像素子２５２（図１５）により撮像された被写界の画像であるスルー画像の表示、記録済みの画像の再生表示等を行う。また、LCD２４１は、撮影装置１に搭載される機能やモードの設定画面を表示する。なお、LCD２４１に代えて、有機ELやプラズマ表示装置を用いるようにしても良い。LCD２４１に表示された各種の項目の選択操作や決定操作が、LCD２４１の右側に設けられた十字キー２４３とプッシュボタン２４４を用いて行われる。
【０１２４】
LCD２４１の左側に設けられる設定ボタン群２４２は、撮影装置１に搭載された各種の機能に対する操作を行うボタンである。設定ボタン群２４２には、LCD２４１に表示されるメニュー画面で選択された内容を確定するための選択確定スイッチ、選択取り消しスイッチ、メニュー画面の内容を切り替えるメニュー表示スイッチ、表示オン／オフスイッチなどが含まれる。
【０１２５】
メインスイッチ２４５は、左右にスライドする２接点のスライドスイッチからなり、左にセットすると撮影装置１の電源がオンされ、右にセットすると電源がオフされる。
【０１２６】
アイカップ２４６は、遮光性を有してEVF２４７への外光の侵入を抑制する「コ」字状の遮光部材である。
【０１２７】
露出補正ボタン２４８は、露出値（絞り値やシャッタースピード）を手動で調整するためのボタンである。AEロックボタン２４９は露出を固定するためのボタンである。
【０１２８】
［撮影装置の内部構成］
図１５は、撮影装置１の縦断面図である。図１５に示すように、カメラボディ２１１の内部には撮像素子２５２などが備えられている。
【０１２９】
撮像素子２５２は図１の撮影装置１に設けられる撮像素子３６に対応し、図４に示す構成と同じ構成を有する。すなわち、撮像素子２５２も、通常画素と、被写体光を瞳分割して位相差を検出するための位相差画素からなり、素子上で位相差を検出する機能を有する撮像素子である。
【０１３０】
撮像素子２５２の前方にはシャッタユニット２５１が配置されている。シャッタユニット２５１は、撮像素子２５２に向かう被写体光の光路開口動作および光路遮断動作を行うメカニカルフォーカルプレーンシャッタとして構成されている。なお、シャッタユニット２５１は、撮像素子２５２が完全電子シャッター可能な撮像素子である場合には省略可能である。
【０１３１】
EVF２４７は、液晶パネル２５３と接眼レンズ２５４とを備えている。液晶パネル２５３は、例えば画像表示が可能なカラー液晶パネルとして構成されており、撮像素子２５２により撮像された画像の表示が可能である。接眼レンズ２５４は、液晶パネル２５３に表示された被写体像をEVF２４７の外側に導く。このようなEVF２４７の構成により、ユーザは、撮像素子２５２によるスルー画像および撮影された画像の再生表示を視認できることとなる。
【０１３２】
次に、カメラボディ２１１の電気的構成について図１６を参照して説明する。
【０１３３】
カメラボディ２１１には、シャッタユニット２５１、撮像素子２５２の他に、撮像素子駆動機構２７１、AFE２７２、画像処理部２７３、位相差AF演算部２７４、画像メモリ２７５、電池２７６、電源制御部２７７が設けられる。また、カメラボディ２１１には、メイン制御部２８１、操作部２８２、レンズ制御部２８３、フラッシュ制御部２８４、VRAM２８５(２８５ａ、２８５ｂ)、カードI/F２８６、メモリカード２８７、通信用I/F２８８が設けられる。
【０１３４】
撮像素子２５２は、レンズ２２１により取り込まれた光の光電変換を行い、画像信号をAFE２７２に出力する。また、撮像素子２５２は位相差センサとしても機能し、被写界に含まれる各被写体からの光の位相差を表す位相差信号をAFE２７２に出力する。
【０１３５】
AFE２７２は、撮像素子２５２に対して所定の動作を行わせるタイミングパルスを与えると共に、撮像素子２５２から出力される画像信号に所定の信号処理を施し、デジタル信号に変換して画像処理部２７３に出力する。AFE（アナログフロントエンド）２７２は、タイミング制御部３０１、信号処理部３０２、およびA/D変換部３０３から構成される。
【０１３６】
タイミング制御部３０１は、メイン制御部２８１から出力される基準クロックに基づいて所定のタイミングパルスを生成して撮像素子２５２に出力し、撮像素子２５２の撮像動作を制御する。タイミングパルスには垂直走査パルスφＶｎ、水平走査パルスφＶｍ、リセット信号φＶｒ等が含まれる。また、タイミング制御部３０１は、所定のタイミングパルスを信号処理部３０２やA/D変換部３０３にそれぞれ出力することにより、信号処理部３０２およびA/D変換部３０３の動作を制御する。
【０１３７】
信号処理部３０２は、撮像素子２５２から出力されるアナログの画像信号と位相差信号に所定のアナログ信号処理を施す。信号処理部３０２は、CDS回路、AGC回路、およびクランプ回路等が備えられる。
【０１３８】
A/D変換部３０３は、信号処理部３０２から出力されたアナログのＲ、Ｇ、Ｂの画像信号をタイミング制御部３０１から出力されるタイミングパルスに基づいて複数のビット（例えば１２ビット）からなるデジタルの画像信号に変換する。また、A/D変換部３０３は、位相差画素から出力された位相差信号のA/D変換を行い、位相差情報を黒レベル補正部３１１に出力する。
【０１３９】
画像処理部２７３は、AFE２７２から出力される画像データに所定の信号処理を行って画像データを生成する。画像処理部２７３は、黒レベル補正部３１１、WB処理部３１２、およびγ補正処理部３１３から構成される。なお、画像処理部２７３へ取り込まれた画像データは、撮像素子２５２の読み出しに同期して画像メモリ２７５に一旦書き込まれ、以後、画像メモリ２７５に書き込まれた画像データにアクセスして、画像処理部２７３の各ブロックにおいて処理が行われる。
【０１４０】
黒レベル補正部３１１は、A/D変換部３０３によりA/D変換されることによって得られたデジタルの画像信号と位相差情報の黒レベルを基準の黒レベルに補正し、出力する。黒レベル補正部３１１による黒レベル補正後の画像信号と位相差情報はWB処理部３１２、位相差AF演算部２７４に供給される。また、位相差情報は図示せぬ経路を介してメイン制御部２８１に供給される。
【０１４１】
WB処理部３１２は、光源に応じた白の基準に基づいて、Ｒ、Ｇ、Ｂの各色成分のデジタル信号のレベル変換（ホワイトバランス(WB)調整）を行う。すなわち、WB処理部３１２は、メイン制御部２８１から与えられるWB調整データに基づき、撮影被写体において輝度や彩度データ等から本来白色であると推定される部分を特定し、その部分のＲ、Ｇ、Ｂそれぞれを色成分の平均と、Ｇ／Ｒ比およびＧ／Ｂ比とを求め、これをＲ、Ｂの補正ゲインとしてレベル補正する。
【０１４２】
γ補正処理部３１３は、WB調整された画像データの階調特性を補正する。具体的にはγ補正処理部３１３は、画像データのレベルを色成分毎に予め設定されたγ補正用テーブルを用いて非線形変換するとともにオフセット調整を行う。
【０１４３】
位相差AF演算部２７４は、黒レベル補正部３１１から供給された黒レベル補正済みの位相差情報に基づき、選択したAFポイントの合焦評価値を演算する。合焦標価値は、例えば被写界の一部（例えば中央部分）に設定されるAF領域内におけるAFのずれを表している。位相差AF演算部２７４で算出された合焦評価値は図示せぬ経路を介してメイン制御部２８１に供給される。
【０１４４】
画像メモリ２７５は、撮影時には、画像処理部２７３から出力される画像データを一時的に記憶する。画像メモリ２７５は、記憶している画像データに対しメイン制御部２８１が所定の処理を行うための作業領域として用いられるメモリである。また、画像メモリ２７５は、再生時には、メモリカード２８７から読み出した画像データを一時的に記憶する。
【０１４５】
電源制御部２７７は、例えば定電圧回路等からなり、メイン制御部２８１等の制御部、撮像素子２５２、その他の各種の駆動部等、撮影装置１全体を駆動させるための電圧を生成する。なお、撮像素子２５２への通電制御は、メイン制御部２８１から電源制御部２７７に与えられる制御信号により行われる。電池２７６は、アルカリ乾電池等の一次電池や、ニッケル水素充電池等の二次電池からなり、撮影装置１全体に電力を供給する電源である。
【０１４６】
メイン制御部２８１は、例えば制御プログラムを記憶するROMや一時的にデータを記憶するRAM等の記憶部が内蔵されたマイクロコンピュータからなり、撮影装置１の各部の動作を制御する。例えば、メイン制御部２８１は、位相差AF演算部２７４で算出された合焦評価値とレンズ制御部２８３で検出されたレンズ２２１に含まれるフォーカスレンズの位置情報とに基づき、位相差AFによる該フォーカスレンズの合焦位置の検出処理を実行する。
【０１４７】
メイン制御部２８１においては、所定のプログラムが実行されることによって、図５を参照して説明した各機能部が実現される。メイン制御部２８１において実現される距離演算部１２１は、黒レベル補正部３１１から供給された位相差情報に基づいて被写体までの距離を求める。また、フラッシュ情報取得部１２２は、内蔵のフラッシュとしてのフラッシュ部２２７のガイドナンバーや、接続端子部２２８に接続された外付けフラッシュのガイドナンバーを取得する。表示制御部１２３は、距離演算部１２１により求められた被写体までの距離とフラッシュ情報取得部１２２により取得されたガイドナンバーを用いて、上述したようにしてフラッシュ到達領域の表示を行う。
【０１４８】
操作部２８２は、シャッタボタン２２５、モード設定ダイアル２２６、制御値設定ダイアル２２９、設定ボタン群２４２、十字キー２４３、プッシュボタン２４４、メインスイッチ２４５等を含み、操作情報をメイン制御部２８１に入力する。
【０１４９】
レンズ制御部２８３は、メイン制御部２８１から与えられる制御信号に基づき、レンズ２２１の絞りを駆動する信号やフォーカスを駆動する信号を生成し、レンズ２２１に出力する。
【０１５０】
フラッシュ制御部２８４は図３のフラッシュ制御部６１に対応し、フラッシュ撮影モードにおいて、フラッシュ部２２７または接続端子部２２８に接続される外部フラッシュの発光量を、メイン制御部２８１により設定された発光量に制御する。フラッシュ制御部２８４は、撮影に合わせてフラッシュを発光させる。
【０１５１】
VRAM２８５ａ、２８５ｂは、EVF２４７およびLCD２４１の画素数に対応した画像信号の記憶容量を有する。VRAM２８５ａ、２８５ｂは、メイン制御部２８１とEVF２４７との間、メイン制御部２８１とLCD２４１の間のバッファメモリである。
【０１５２】
カードI/F２８６は、メモリカード２８７とメイン制御部２８１との間で信号の送受信を可能とするためのインタフェースである。
【０１５３】
メモリカード２８７は、メイン制御部２８１で生成された画像データを保存する記憶媒体である。
【０１５４】
通信用I/F２８８は、パーソナルコンピュータやその他の外部機器に対する画像データ等の伝送を可能とするためのインタフェースである。
【０１５５】
以上の構成を有する撮影装置１においても、図６を参照して説明した処理と同様のフラッシュ到達領域表示処理が行われ、フラッシュ到達領域を表す情報がLCD２４１に表示される。
【０１５６】
＜第３の実施の形態＞
図１７は、一眼レフタイプの撮影装置１の他の縦断面図である。図１７に示す構成のうち、図１５に示す構成と同じ構成には同じ符号を付してある。重複する説明については適宜省略する。なお、図１７の撮影装置１の外観構成は図１３、図１４に示す構成と同じである。
【０１５７】
図１７の撮影装置１は、スルー画像の撮像と位相差検出を行うための撮像素子４０３と、静止画を撮像するための撮像素子４０２を有する撮影装置である。カメラボディ２１１の内部には、撮像素子４０２、４０３、透過ミラー４０１が設けられる。
【０１５８】
透過ミラー４０１は、被写体光をカメラボディ２１１上部に設けられた撮像素子４０３に向けて反射するとともに、撮像素子４０２に向けて透過する透過反射部材より構成され、カメラボディ２１１に固設される。透過と反射の割合を５：５としているが、各撮像素子の特性に応じて任意に変更可能である。すなわち、レンズ２２１を通過した被写体光は、一部が透過ミラー４０１を透過して撮像素子４０２に入射するとともに、一部が透過ミラー４０１によって反射され、撮像素子４０３に入射する。
【０１５９】
撮像素子４０２は、透過ミラー４０１を透過した被写体光を受光する。撮像素子４０２としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のCMOS型の撮像素子が用いられる。撮像素子４０２は、レンズ２２１を通って結像された被写体光像に関するＲ（赤）、Ｇ（緑）、Ｂ（青）各色成分のアナログの電気信号（画像信号）を生成し、Ｒ、Ｇ、Ｂ各色の画像信号として出力する。
【０１６０】
撮像素子４０３は、Ｙ軸に対して垂直となる平面(ＸＺ平面)上に配置されており、透過ミラー４０１で反射された被写体光を受光する。撮像素子４０３は図１の撮影装置１に設けられる撮像素子３６に対応し、図４に示す構成と同じ構成を有する。すなわち、撮像素子４０３は、通常画素と、被写体光を瞳分割して位相差を検出するための位相差画素からなり、素子上で位相差を検出する機能を有する撮像素子である。
【０１６１】
図１８は、図１７の撮影装置１の電気的構成を示す図である。図１８に示す構成のうち、図１６に示す構成と同じ構成には同じ符号を付してある。重複する説明については適宜省略する。
【０１６２】
図１８に示す撮影装置１の構成は、シャッタユニット２５１の前段に透過ミラー４０１が設けられ、図１６の撮像素子２５２に代えて撮像素子４０２が設けられ、さらに、撮像素子４０３が追加して設けられる点で図１６に示す構成と異なる。
【０１６３】
AFE２７２は、撮像素子４０２，４０３に対して所定の動作を行わせるタイミングパルスを与えると共に、撮像素子４０２，４０３から出力される画像信号に所定の信号処理を施し、デジタル信号に変換して画像処理部２７３に出力する。AFE２７２は、タイミング制御部３０１、信号処理部３０２、およびA/D変換部３０３から構成される。
【０１６４】
タイミング制御部３０１は、メイン制御部２８１から出力される基準クロックに基づいて所定のタイミングパルスを生成して撮像素子４０２，４０３に出力し、撮像素子４０２，４０３の撮像動作を制御する。また、タイミング制御部３０１は、所定のタイミングパルスを信号処理部３０２やA/D変換部３０３にそれぞれ出力することにより、信号処理部３０２およびA/D変換部３０３の動作を制御する。
【０１６５】
信号処理部３０２は、撮像素子４０２，４０３から出力されるアナログの画像信号と位相差信号に所定のアナログ信号処理を施す。信号処理部３０２は、CDS回路、AGC回路、およびクランプ回路等が備えられる。撮像素子４０２からは画像信号が供給され、撮像素子４０３からは画像信号と位相差信号が供給される。
【０１６６】
A/D変換部３０３は、信号処理部３０２から出力されたアナログのＲ、Ｇ、Ｂの画像信号をタイミング制御部３０１から出力されるタイミングパルスに基づいて複数のビット（例えば１２ビット）からなるデジタルの画像信号に変換する。また、また、A/D変換部３０３は、位相差画素から出力された位相差信号のA/D変換を行い、位相差情報を黒レベル補正部３１１に出力する。
【０１６７】
以上の構成を有する撮影装置１においても、図６を参照して説明した処理と同様のフラッシュ到達領域表示処理が行われ、フラッシュ到達領域を表す情報などがLCD２４１に表示される。
【０１６８】
このように、以上の技術は、一眼レフタイプのデジタルスチルカメラにも適用可能である。なお、位相差の検出に用いるモジュールとして、位相差センサとして機能する画素が各位置に配置された図４に示すような撮像素子ではなく、既存の位相差式AFモジュールを用いるようにすることも可能である。位相差式AFモジュールにおいて検出された各被写体からの光の位相差に基づいて各被写体までの距離が求められ、フラッシュ到達領域の表示が行われる。
【０１６９】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記憶媒体からインストールされる。
【０１７０】
図１９は、上述した一連の処理をプログラムにより実行するコンピュータのハードウェアの構成例を示すブロック図である。
【０１７１】
CPU(Central Processing Unit)５０１、ROM(Read Only Memory)５０２、RAM(Random Access Memory)５０３は、バス５０４により相互に接続されている。
【０１７２】
バス５０４には、さらに、入出力インタフェース５０５が接続されている。入出力インタフェース５０５には、キーボード、マウスなどよりなる入力部５０６、ディスプレイ、スピーカなどよりなる出力部５０７が接続される。また、入出力インタフェース５０５には、ハードディスクや不揮発性のメモリなどよりなる記憶部５０８、ネットワークインタフェースなどよりなる通信部５０９、リムーバブルメディア５１１を駆動するドライブ５１０が接続される。
【０１７３】
以上のように構成されるコンピュータでは、CPU５０１が、例えば、記憶部５０８に記憶されているプログラムを入出力インタフェース５０５およびバス５０４を介してRAM５０３にロードして実行することにより、上述した一連の処理が行われる。
【０１７４】
CPU５０１が実行するプログラムは、例えばリムーバブルメディア５１１に記録して、あるいは、ローカルエリアネットワーク、インターネット、デジタル放送といった、有線または無線の伝送媒体を介して提供され、記憶部５０８にインストールされる。
【０１７５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７６】
本技術の実施の形態は、上述した実施の形態に限定されるものではなく、本技術の要旨を逸脱しない範囲において種々の変更が可能である。
【符号の説明】
【０１７７】
１  撮影装置，  ２１  レンズ，  ２２  フラッシュ，  ２４  LCD，  ３６  撮像素子，  １２１  距離演算部，  １２２  フラッシュ情報取得部，  １２３  表示制御部
【図１】
0005825505.tif 000002
【図２】
0005825505.tif 000003
【図３】
0005825505.tif 000004
【図４】
0005825505.tif 000005
【図５】
0005825505.tif 000006
【図６】
0005825505.tif 000007
【図７】
0005825505.tif 000008
【図８】
0005825505.tif 000009
【図９】
0005825505.tif 000010
【図１０】
0005825505.tif 000011
【図１１】
0005825505.tif 000012
【図１２】
0005825505.tif 000013
【図１３】
0005825505.tif 000014
【図１４】
0005825505.tif 000015
【図１５】
0005825505.tif 000016
【図１６】
0005825505.tif 000017
【図１７】
0005825505.tif 000018
【図１８】
0005825505.tif 000019
【図１９】
0005825505.tif 000020